(57)【要約】 【課題】本発明は壁面や天井面などのタイル陶片浮きや石材などの浮きを修復する際に、接着剤が低圧注入器で簡単に且つ確実に充填でき、タイル陶片浮きの修復が簡単に行えると共に、貼付けモルタルとコンクリートの間の浮きも低圧注入器で簡単に且つ確実に行うことが可能となるタイル陶片浮きの修復時に於ける接着剤注入隙間の確保工法及びそれに使用する剥がし用工具を提供することを目的とする。【解決手段】除去した目地２から、棒状の工具本体61の端部に差込部62を設けた所定工具６を挿入し、タイル陶片１下部の側面から所定工具６の差込部62を貼付けモルタル３の底面に差込み、所定工具６によってタイル陶片１或いは貼付けモルタル３に剥離隙間Ａを確保して、接着剤の回り込みを確実に且つ簡単に行えるタイル陶片浮きの修復時に於ける接着剤注入隙間の確保工法と成す。【選択図】図１
2008285820.tif 000002
【特許請求の範囲】
【請求項１】
タイル陶片（１）浮きや貼付けモルタル（３）浮きを修復するための接着剤注入工程の前工程であって、除去した目地（２）から所定工具（６）を挿入し、前記タイル陶片（１）下部の側面から前記所定工具（６）の差込部（62）を前記貼付けモルタル（３）の底面に差込み、前記所定工具（６）によって前記タイル陶片（１）或いは前記貼付けモルタル（３）に剥離隙間（Ａ）を確保させることを特徴とするタイル陶片浮きの修復時に於ける接着剤注入隙間の確保工法。
【請求項２】
前記タイル陶片（１）浮きや貼付けモルタル（３）浮きが、２枚以上の前記タイル陶片（１）に亘る場合に、除去した目地（２）の少なくとも上下端の目地（２）に予めサンダーで分離溝を入れ、前記除去した目地（２）から前記所定工具（６）を挿入して、前記タイル陶片（１）或いは前記貼付けモルタル（３）に剥離隙間（Ａ）が確保される請求項１記載のタイル陶片浮きの修復時に於ける接着剤注入隙間の確保工法。
【請求項３】
深目地仕上げのタイル陶片（１）浮きや貼付けモルタル（３）浮きを修復するための接着剤注入工程の前工程であって、前記タイル陶片（１）の外周３辺に剥離可能なシール材（５）を充填させ、他の１辺側の目地（２）から所定工具（６）を挿入し、前記タイル陶片（１）下部の側面から前記貼付けモルタル（３）の底面に前記所定工具（６）の差込部（62）を差込み、前記所定工具（６）によって前記タイル陶片（１）或いは前記貼付けモルタル（３）に剥離隙間（Ａ）を確保させることを特徴とするタイル陶片浮きの修復時に於ける接着剤注入隙間の確保工法。
【請求項４】
目地（２）から挿入して、タイル陶片（１）浮き或いは貼付けモルタル（３）浮きの箇所に剥離隙間（Ａ）が確保されるためのものであって、棒状の工具本体（61）の端部に、前記タイル陶片（１）下部側面に差込み且つその先端によって前記タイル陶片（１）或いは前記貼付けモルタル（３）を若干持上げて剥離隙間（Ａ）が確保される差込部（62）を設けたことを特徴とするタイル陶片浮きの接着剤注入前に使用する剥がし用工具。
【請求項５】
前記差込部（62）の裏面（62a）にクッション材（７）が設けられた請求項４記載のタイル陶片浮きの接着剤注入前に使用する剥がし用工具。
【請求項６】
前記差込部（62）の裏面（62a）と面一に突片（８）を延出させ、その裏面及び前記裏面（62a）にクッション材（７）が設けられた請求項４記載のタイル陶片浮きの接着剤注入前に使用する剥がし用工具。
【発明の詳細な説明】
【技術分野】
【０００１】
本発明は壁面のタイル陶片浮きや石材などの浮きを修復するために、接着剤注入工程の前に行い、低圧注入器に充填された接着剤が浮き箇所全体に注入されて確実な接着強度を得るためのタイル陶片浮きの修復時に於ける接着剤注入隙間の確保工法及びそれに使用する剥がし用工具に関する。
【背景技術】
【０００２】
従来、タイル浮きを修復する場合、タイル陶片自体の浮き及び貼付けモルタルの浮きと、コンクリートとモルタル層の境の浮きを区別してマーキングしていた。この２種類の浮きは修復工法が異なるため区別が必要であった。この時、コンクリートとモルタル層の境の浮きを修復する場合には、グリースガンを使用すれば略確実に行えるが、タイル陶片自体の浮き及び貼付けモルタルの浮きを修復する場合には、グリースガンを使用すると多種類の問題が生じるため、殆ど使用されていないのが現状である。従って、タイル陶片自体の浮き及び貼付けモルタルの浮きを修復する工法としては、カッターを入れて浮いているタイル陶片を撤去し、新たなタイル陶片を貼付ける工法と、タイル陶片の中央に穴を開け、アンカーピンで一枚ずつ固定する工法が行われている。しかしながら、前記浮いているタイル陶片を撤去し、新たなタイル陶片を貼付ける工法は、浮いたタイル陶片を割って除去し、且つ貼付けモルタルも除去させてからタイル陶片の貼着面をきれいにし、更に新たなタイル陶片を貼着するため、手間が掛かると共に、新たなタイル陶片を貼着させてもそのタイル陶片は周囲のタイル陶片と色調が異なってしまい、修復した所が目立つものとなっていた。一方、前記タイル陶片の中央に穴を開け、アンカーピンで一枚ずつ固定する工法は、タイル陶片に穴を穿設すると共にアンカーピンをタイル陶片の表面よりも凹ませて打込み、凹み部を修復する作業が行われるため、手間が掛かると共に、アンカーピンを打込んだ箇所は近くで見ると直ぐに分かってしまい、外観を均一な色調に仕上げることは難しかった。
【０００３】
このため、タイル陶片を傷つけることなく接着剤が注入される接着方法として、特開平９−２１７４９６号がある。この接着方法は、複数のタイル（タイル陶片）間の下地モルタルが露出する部位から、下地モルタルを穿設し、この穿孔により形成された穿孔穴の側面から、穿孔穴に隣接するタイルの裏に接している下地モルタル（貼付けモルタル）を、穿孔穴よりも小さなカッターで切削し、この切削によりタイルと下地モルタルとの間にカッターの半径の範囲で下地モルタルが切削除去されて形成した極めて小さな隙間から、タイルの裏に接着剤を注入する。この時、穿孔穴にアタッチメントを挿入し更に接着剤の注入器を装着し、注入器から注入された接着剤をタイルと下地モルタルとの間に形成された隙間に注入するため、穿孔穴の周囲から隙間通路が図６（ａ）に示すように確保されてタイル（１）と下地モルタル（３）との接着が隙間通路を通って行われる。この隙間通路は、タイル（１）裏面全体に形成されるものではなく、穿孔穴の周囲だけに接着剤が回り込むものであった。尚、図６（ａ）は特開平９−２１７４９６号に於ける図４の右側に示す図である。
【０００４】
しかしながら、図６（ｂ）の時や図６（ｃ）の時には隙間通路が途絶えてしまうため、タイル（１）と下地モルタル（３）との接着が充分に行われない場合も多く生じ、確実な接着注入作業を行うことは困難であった。このことは特開平９−２１７４９６号の段落番号「００５６」に、カートリッジから所望の圧力で接着剤を２次注入する必要性が記載されている。又、仮に１次注入において注入があまり良く行われなかった部分にも接着剤が注入できるようになると、記載されているが、実際には、エアー抜きがないため、ある程度接着剤が穿孔穴の周囲に注入されたとしても注入後、接着剤が戻されてしまうため、タイル裏面全体に接着剤が充填されることはないのが現状である。又、特開平９−２１７４９６号は、複数のタイル間から下地モルタル（３）が露出する深目地仕上げのタイルに対する接着方法であり、下地（貼付け）モルタル（３）とタイル（１）との間に接着剤を注入して、深目地仕上げのタイル（１）を前記下地モルタル（３）に接着する方法であるため、本発明のような目地埋めされたタイル陶片（１）に対する修復方法と異なり、貼付けモルタル（３）とコンクリート（４）間の浮きを接着剤で修復することは不可能であり、且つそのような記載もない。
【０００５】
上記以外に、タイル自体を除去せず且つ新たなタイルを貼付けることなく、タイル自体の浮きの修復工法或いはタイル剥落防止工法としては、本発明者が特願２００６−２０２７６２或いは特願２００６−２５２２０８で提案したところである。この工法に於いて、浮きが発見されたタイル陶片の上からハンマーなどで軽く叩き、タイル陶片の裏面へ接着剤が回り易くするための工法は行われていたが、現実としては、タイル陶片の裏面全体に接着剤を確実に回り込ませることは難しく、常時、確実に回り込ませて行える接着方法はないのが現状であり、浮いたタイル陶片の裏面を剥落することなく肌分けして剥離させる方法や発想は従来にはないものであった。
【特許文献１】特開平９−２１７４９６号公報
【特許文献２】特願２００６−２０２７６２号公報
【特許文献３】特願２００６−２５２２０８号公報
【発明の開示】
【発明が解決しようとする課題】
【０００６】
本発明は壁面や天井面などのタイル陶片浮きや石材などの浮きを修復する際に、接着剤が低圧注入器で簡単に且つ確実に充填でき、タイル陶片浮きの修復が簡単に行えると共に、貼付けモルタルとコンクリートの間の浮きも低圧注入器で簡単に且つ確実に行うことが可能となるタイル陶片浮きの修復時に於ける接着剤注入隙間の確保工法及びそれに使用する剥がし用工具を提供することを目的とする。
【課題を解決するための手段】
【０００７】
本発明は上記現状に鑑み成されたものであり、特には特願２００６−２０２７６２或いは特願２００６−２５２２０８で提案した工法に於ける接着剤注入工程の前工程であり、つまり、除去した目地から所定工具を挿入し、タイル陶片下部の側面から所定工具の差込部を貼付けモルタルの底面に差込み、所定工具によってタイル陶片の裏面或いは貼付けモルタルの裏面に剥離隙間を確保して、接着剤の回り込みを確実に且つ簡単に行えるタイル陶片浮きの修復時に於ける接着剤注入隙間の確保工法と成す。この時、前記タイル陶片浮きやその貼付けモルタル浮きが、２枚以上のタイル陶片に亘る場合に、予め連続するタイル陶片の側面側の目地材を除去すると共に除去した目地の少なくとも上下端辺にサンダーで分離溝を入れ、前記除去された目地から所定工具を挿入して、そのタイル陶片或いは貼付けモルタルに剥離隙間が確保されるようにすると良く、又、深目地仕上げのタイル陶片の場合にも、その浮いたタイル陶片の外周３辺に剥離可能なシール材を充填させ、他の１辺側の目地から所定工具を挿入し、タイル陶片下部の側面から貼付けモルタルの底面に所定工具の差込部を差込み、所定工具によってタイル陶片或いは貼付けモルタルに剥離隙間を確保させるようにしても良い。尚、本発明で言う「タイル陶片」は、単に陶磁器製タイルだけを指すのではなく、外壁や内壁などの貼着面に貼着されるものを指し、例えば、レンガ，外壁タイル，石板などの総称として用いるものとする。
【０００８】
又、他の発明である剥がし用工具として、棒状の工具本体の端部に、タイル陶片下部側面に差込み且つその先端によってタイル陶片或いは貼付けモルタルを若干持上げて剥離隙間が確保される差込部を設けたものと成す。更に前記差込部の裏面にクッション材を設け、或いは差込部の裏面と面一に突片を延出させ、該突片及び差込部の裏面にクッション材を設けたものとしても良い。
【発明の効果】
【０００９】
請求項１のように除去した目地（２）から所定工具（６）を挿入し、タイル陶片（１）下部の側面から所定工具（６）の差込部（62）を貼付けモルタル（３）の底面に差込み、所定工具（６）によってタイル陶片（１）或いは貼付けモルタル（３）を持上げると、タイル陶片（１）か貼付けモルタル（３）に浮きを生じている方が肌分けされて剥離隙間（Ａ）を確保できる結果となるため、片手で注入器（注射器）を軽く押すだけで接着剤が剥離隙間（Ａ）に滲み込むように充填され、タイル陶片（１）浮きの修復と共に貼付けモルタル（３）浮きの修復も同時に行えるものとなり、且つ、この工程も容易に確実に行えるものとなる。
【００１０】
請求項２のように２枚以上のタイル陶片（１）に亘る浮きを修復する場合に、除去した目地（２）の少なくとも上下端の目地（２）に予めサンダーで分離溝を入れ、除去した目地（２）から前記所定工具（６）を挿入して、タイル陶片（１）或いは貼付けモルタル（３）に剥離隙間（Ａ）を確保させることにより、２枚以上のタイル陶片（１）の浮きであっても、一度に接着剤注入工程が確実に行えるものとなる。
【００１１】
請求項３に示すように深目地仕上げのタイル陶片（１）の外周３辺に剥離可能なシール材（５）を充填させ、他の１辺側の目地（２）から所定工具（６）を挿入し、タイル陶片（１）下部の側面から貼付けモルタル（３）の底面に所定工具（６）の差込部（62）を差込み、所定工具（６）によってタイル陶片（１）或いは貼付けモルタル（３）に剥離隙間（Ａ）を確保させることにより、深目地仕上げのタイル陶片（１）浮きの修復が容易に行えると共に複数枚に亘る部分的な深目地仕上げのタイル陶片（１）浮きの修復であっても、略同時に接着剤注入工程が確実に行えるものとなる。
【００１２】
請求項４に示すように棒状の工具本体（61）の端部に、タイル陶片（１）下部側面に差込み且つその先端によってタイル陶片（１）或いは貼付けモルタル（３）を若干持上げて剥離隙間（Ａ）が確保される差込部（62）を設けた剥がし用の所定工具（６）が使用されることにより、タイル陶片（１）或いは貼付けモルタル（３）が差込部（62）を支点として持上げられるため、タイル陶片（１）か貼付けモルタル（３）に浮きを生じている方が確実に肌分れして剥離隙間（Ａ）が確保されるものとなる。又、差込部（62）の支点箇所と工具本体（61）の長さ比が大きく、テコの原理の応用で大きな力が生じるため、タイル陶片（１）の裏面或いは貼付けモルタル（３）の裏面を片手でも簡単に肌分けでき、タイル陶片（１）或いは貼付けモルタル（３）の裏面全体に剥離隙間（Ａ）が確実に確保出来るものとなる。
【００１３】
請求項５のように差込部の裏面にクッション材（７）を設けることにより、タイル陶片（１）の角部に所定工具（６）が当ってもクッション材（７）で前記タイル陶片（１）の欠けを防止することが可能となる。
【００１４】
請求項６のように差込部（62）の裏面（62a）と面一に突片（８）を延出させ、その裏面及び裏面（62a）にクッション材（７）を設けることにより、タイル陶片（１）の角部に所定工具（６）が当っても当る面積が広くなると共にクッション材（７）で力が吸収されるため、タイル陶片（１）の欠けが殆どないものとなる。
【発明を実施するための最良の形態】
【００１５】
図１、図３は本発明の実施形態を示す図であり、この図に示す番号について説明する。（１）はタイル陶片である。（２）はタイル陶片（１）の周辺に設けた目地であり、（３）はタイル陶片（１）をコンクリート（４）に固定するための貼付けモルタルである。（５）は目地（２）に充填する剥離可能なシール材であり（図４参照）、該シール材（５）は深目地仕上げのタイル陶片（１）のものに使用する。このシール材（５）は従来から塗布修復時に使用される注入器固定用のものを用いれば良い。
【００１６】
図２は他の本発明の実施形態を示す図である。これは本発明の工法で使用する剥がし用工具であり、目地（２）から挿入して、タイル陶片（１）浮き或いは貼付けモルタル（３）浮きの箇所に剥離隙間（Ａ）が確保されるための剥がし用の金属製所定工具である。これについて詳細に説明する。前記所定工具（６）は、断面形状が角形や円形などの棒状の工具本体（61）と、該工具本体（61）の両端部に形成すると共に、タイル陶片（１）下部側面に差込み且つその先端によってタイル陶片（１）或いは貼付けモルタル（３）を若干持上げて肌分けする剥離隙間（Ａ）が確保されるための差込部（62）とから成されている［図２（ａ）参照］。この工具本体（61）の長さとしては２００ｍｍ前後が好ましく、前記差込部（62）の幅としては１０ｍｍ前後が好ましい。又、図２（ｂ）の所定工具（６）の差込部（62）の幅としては１０ｍｍ〜４０ｍｍ前後としても良く、且つ、差込部（62）の裏面（62a）にクッション材（７）を貼着させると、タイル陶片（１）の角部の欠け防止に有効なものとなる。更に図２（ｃ）の所定工具（６）のようにタイル陶片（１）の角部に当る面積を増やすと共に作用する力を緩和させるために、差込部（62）の裏面（62a）と面一に突片（８）を両側に延出させ、該突片（８）の裏面及び裏面（62a）にクッション材（３）を設けたものとしても良い。尚、前記差込部（62）は工具本体（61）の片側のみに形成させたものとしても良い。又、前記クッション材（７）の材質としてはゴムや合成樹脂などの弾力性を有したものを用いるのが好ましい。
【００１７】
次に本発明の工法を図１に基づいて説明する。予め、タイル陶片（１）を小ハンマーなどで叩いて浮きチェックを行い、タイル陶片（１）浮き及び貼付けモルタル（３）浮きと、コンクリート（４）とモルタル層との浮きを区別し、タイル陶片（１）浮き及び貼付けモルタル（３）浮きが生じている箇所に図３に示すようなマーキングを付けておき、浮いたタイル陶片（１）及び貼付けモルタル（３）浮きが生じているタイル陶片（１）の側面の目地（２）をダイヤモンドカッター等により除去すると共にマスキング工程も行っておく。尚、この時、前記マスキング工程は必ずしも行う必要はない。先ず始めに、除去した目地（２）から所定工具（６）を図１（ａ）に示すように挿入する。そして所定工具（６）の差込部（62）が貼付けモルタル（３）の底面に差込まれるように、ハンマーなどを用いて工具本体（61）を図１（ｂ）の矢印方向から軽く叩く。すると、差込部（62）は貼付けモルタル（３）の底面（裏面）に食い込んで差込まれるのである。次に所定工具（６）を図１（ｃ）の矢印のように回転させると、差込部（62）の差込まれた箇所がテコの原理により持上げられると共に貼付けモルタル（３）も持上げられるのである。
【００１８】
この場合、タイル陶片（１）浮きの場合は、貼付けモルタル（３）は剥がれずに差込部（62）によって破壊され、タイル陶片（１）の底面（裏面）に差込部（62）の先端が当り、更にタイル陶片（１）が持上げられて浮き、「ビシ」という音がした時点で所定工具（６）の回転を止める。すると、タイル陶片（１）の裏面と貼付けモルタル（３）の間が剥がされ、図１（ｄ）に示すように肌分けされて若干浮いた剥離隙間（Ａ）が確保できるのである。この時、所定工具（６）に加える力は徐々に増して行くのが好ましい。一方、貼付けモルタル（３）浮きの場合は、貼付けモルタル（３）が差込部（62）によって持上げられて浮き、上記同様に「ビシ」という音がした時点で所定工具（６）の回転（傾け）を止めれば、貼付けモルタル（３）の裏面とコンクリート（４）の間が、図１（ｅ）に示すように肌分けされて若干浮いた剥離隙間（Ａ）が確保できるものとなるのである。
【００１９】
その後、従来通りの修復工程を行えば良い。例えば、接着剤が充填された注入器（注射器）を片手で軽く押せば、接着剤は剥離隙間（Ａ）に滲み込むように充填され、タイル陶片（１）の裏面全体或いは貼付けモルタル（３）の裏面全体に確実に且つ簡単に接着剤が回り込むものとなる。この結果、接着剤注入工程が容易に行えるものとなると共に接着強度も確保されるものとなるのである。このように本発明の工程を接着剤注入工程前に行うと、従来困難であった貼付けモルタル（３）浮きの修復が、低圧力であっても接着剤注入が簡単に行えるものとなるのである。又、本発明の剥がし用の所定工具（６）を用いれば、テコの原理が応用され、タイル陶片（１）や貼付けモルタル（３）が簡単に肌分けされて若干浮いた剥離隙間（Ａ）を確保することが可能なものとなる。
【００２０】
図３は浮き箇所を示す正面図であり、浮きが生じているタイル陶片（１）周囲の目地材を図中の斜線箇所のように除去しておく。この時、タイル陶片（１）が１つの場合は、目地材を１辺分除去した後、本発明の工程を行う。またタイル陶片（１）が２つ以上の場合は、連続するタイル陶片（１）の側面の目地材を上記同様に除去した後、その目地（２）の少なくとも上下端辺にサンダーで分離溝を入れた後、目地材が除去された目地（２）から本発明の工程を行えば良い。本発明の所定工具（６）によって剥離隙間（Ａ）を確保する際、浮いたタイル陶片（１）だけに剥離隙間（Ａ）が得られ、他の余分な箇所の肌分け防止が前記分離溝によって可能となる。又、深目地仕上げのタイル陶片（１）の場合には、そのまま所定工具（６）を使用して剥離隙間（Ａ）が確保される作業を行うと、脱落する恐れがあるため、タイル陶片（１）の外周３辺の目地（２）にシール材（５）を図４に示すように充填させた後、他の１辺から本発明の工程を行えば良い。
【００２１】
次に発明の作用を図５に基づいて説明する。本発明の工程を上記の要領で行った場合の接着剤の浸透状況を確認した所、図５（ａ）のようにコーナータイル陶片（１）浮き或いはその貼付けモルタル（３）浮きに対して、図中の矢印箇所の目地（２）から所定工具（６）が使用されて剥離隙間（Ａ）を右側に確保した後、接着剤を図中の矢印から注入すると、コーナータイル陶片（１）及び貼付けモルタル（３）浮きが修復されることが確認された。又、図５（ｂ）のようにタイル陶片（１）浮きやその貼付けモルタル（３）浮きが、横方向に連続した２枚のタイル陶片（１）に亘る場合、上記要領で１枚のタイル陶片（１）の側面から所定工具（６）で肌分けして剥離隙間（Ａ）を確保した後、接着剤を図中の矢印の目地（２）から注入すると、下方のタイル陶片（１）と隣のタイル陶片（１）の浮きが修復されることが確認された。この確認方法としては、タイル陶片（１）を小ハンマーなどで叩いて浮きチェックを行う方法で確認すると共に、修復したタイル陶片（１）を剥がして接着剤の回り込み具合を目視で確認する方法である。尚、前記タイル陶片（１）浮きが１枚の場合の修復後、約１０００箇所前後を上記確認方法で接着状態のチェックした結果、全て良好であった。又、本発明の所定工具（６）によってタイル陶片（１）或いは貼付けモルタル（３）に剥離隙間（Ａ）を確保する際、タイル陶片（１）の割れや欠けの発生は生じなかった。
【図面の簡単な説明】
【００２２】
【図１】本発明の実施形態の要部断面を示す説明図である。
【図２】他の発明の実施形態を示す斜視図である。
【図３】本発明の実施形態を示す正面図である。
【図４】本発明の別実施形態を示す正面図である。
【図５】本発明の作用を示す説明図である。
【図６】従来の実施形態の要部を示す説明図である。
【符号の説明】
【００２３】
１  タイル陶片
２  目地
３  貼付けモルタル
５  シール材
６  所定工具
61  工具本体
62  差込部
62a  裏面
７  クッション材
８  突片
Ａ  剥離隙間
【図１】
2008285820.tif 000003
【図２】
2008285820.tif 000004
【図３】
2008285820.tif 000005
【図４】
2008285820.tif 000006
【図５】
2008285820.tif 000007
【図６】
2008285820.tif 000008